(57)【要約】【課題】  鏡筒角を変更してアイポイントの高さを調整したとき、アイポイントの奥行き方向の変位量を小さい鏡筒角可変鏡筒及びこれを備える顕微鏡を提供すること。【解決手段】  顕微鏡本体３に取り付けられる鏡筒本体１１に対して、一端に接眼レンズ２２（２３）を備える双眼鏡筒部２１を有する回転枠１２を回動軸Ｏの軸回りで回動可能に設け、回転枠１２の回動に連動して回動軸Ｏの軸回りで回動可能であり、その回動角度の１／２だけ同方向に回動すると共に、その回動中心に反射面と光軸とが交わる点が設けられ、顕微鏡本体３からの光束を反射する第４反射鏡３７と、回転枠１２に設けられ、第４反射鏡３７からの光束を双眼鏡筒部２１に導く第５反射鏡３８とを備え、第５反射鏡３８の反射面と光軸とが交わる点と接眼レンズ２２（２３）との距離が、第４反射鏡３７の反射面と光軸とが交わる点と接眼レンズ２２（２３）との距離よりも大きい。【選択図】  図２
2006113188.tif 000002
【特許請求の範囲】
【請求項１】
顕微鏡本体に取り付けられる鏡筒本体に対して、一端に接眼レンズを備える双眼鏡筒部を有する回転枠を回動軸の軸回りで回動可能に設けた鏡筒角可変鏡筒において、
前記回転枠の回動に連動して前記回動軸の軸回りで回動可能であり、その回動角度の１／２だけ同方向に回動すると共に、その回動軸上に反射面と光軸とが交わる点が設けられ、前記顕微鏡本体からの光束を反射する第１反射部材と、
前記回転枠に設けられ、前記第１反射部材からの光束を前記双眼鏡筒部に導く第２反射部材とを備え、
該第２反射部材の反射面と光軸とが交わる点と前記接眼レンズとの距離が、前記第１反射部材の反射面と光軸とが交わる点と前記接眼レンズとの距離よりも大きいことを特徴とする鏡筒角可変鏡筒。
【請求項２】
前記顕微鏡本体からの光束を結像して前記鏡筒本体内に中間像を形成する結像レンズと、
前記中間像を前記双眼鏡筒部内に結像させるリレーレンズとを備えていることを特徴とする請求項１に記載の鏡筒角可変鏡筒。
【請求項３】
前記結像レンズと前記第１反射部材との間に、前記顕微鏡本体からの光束を前記第１反射部材に導く反射光学系が設けられていることを特徴とする請求項１または２に記載の鏡筒角可変鏡筒。
【請求項４】
前記第１反射部材が、前記回転枠の回動範囲において、該第１反射部材で反射される光束の光軸を水平面よりも下方向とするように配置されていることを特徴とする請求項１から３のいずれか１項に記載の鏡筒角可変鏡筒。
【請求項５】
前記第１反射部材が、該第１反射部材に入射する光束の光軸を水平面よりも上方向とするように配置されていることを特徴とする請求項１から４のいずれか１項に記載の鏡筒角可変鏡筒。
【請求項６】
前記鏡筒本体が、撮像部材を取り付け可能な撮像部材取付部を有し、
前記反射光学系の光路上に、前記顕微鏡本体からの光束を前記撮像部材取付部に導く光路切替手段が設けられていることを特徴とする請求項３から５のいずれか１項に記載の鏡筒角可変鏡筒。
【請求項７】
請求項１から６のいずれか１項に記載の鏡筒角可変鏡筒を備えることを特徴とする顕微鏡。
【発明の詳細な説明】
【技術分野】
【０００１】
本発明は、例えば観察者の目の高さであるアイポイントを変更可能な鏡筒角可変鏡筒及びこれを備える顕微鏡に関する。
【背景技術】
【０００２】
従来より、観察者の顕微鏡による観察姿勢をより快適とするために、観察者の体格や姿勢などの好みに合わせて鏡筒の鏡筒角（水平面に対する接眼レンズの光軸の角度）を調節することで、観察者の目の高さである、アイポイントの高さを調節する手段を備える鏡筒角可変鏡筒が提案されている（例えば、特許文献１参照）。
【０００３】
この鏡筒角可変鏡筒１００は、図７に示すように、顕微鏡本体１０１に取り付け可能な鏡筒本体１０２と、一端に一対の接眼レンズ１０３が設けられた双眼鏡筒部１０５を有すると共に鏡筒本体１０２に対して回動軸Ｏ″の軸回りに回動可能に取り付けられている回転枠１０６と、鏡筒本体１０２または回転枠１０６内部に設けられて顕微鏡本体１０１からの観察像を接眼レンズ１０３に導く結像レンズ１０７、リレーレンズ部及び反射光学系１０９とを備えている。
【０００４】
リレーレンズ部は、凹レンズ１１１及び凸レンズ１１２によって構成されており、反射光学系１０９は、プリズム１１３と第１から第５反射鏡１１４〜１１８とによって構成されている。
第５反射鏡１１８は、回転枠１０６に設けられているミラー保持部材１２１によって保持されており、回動軸Ｏ″の軸回りに回動可能に配置されている。
このミラー保持部材１２１は、図示しないギヤ、ベルト、リンクなどによって回転枠１０６の回動に連動して、その回動角度の１／２だけ回転枠１０６の回動方向と同方向に回動するように構成されている。
【０００５】
結像レンズ１０７に入射した光束は、プリズム１１３及び第１から第３反射鏡１１４〜１１６で偏向され、凹レンズ１１１を通過し、第４及び第５反射鏡１１７、１１８で偏向され、凸レンズ１１２を通過して一対の接眼レンズ１０３に至る。ここで、結像レンズ１０７に入射した光束は、第３反射鏡１１６の手前の点Ｐ１０で中間像を形成し、リレーレンズ部に入射した光束は、一対の接眼レンズ１０３の手前の点Ｐ１１で中間像を形成する。
【０００６】
ここで、回転枠１０６を回動軸Ｏ″の軸回りで回動させて双眼鏡筒部１０５の鏡筒角をαだけ変更すると、これに連動して、第５反射板１１８がα／２だけ同方向に回動する。これに伴って、第５反射板１１８から双眼鏡筒部１０５に向かう光束の光軸が、図７に示すｑからｑ′に移動する。このようにして、観察像が移動することなく、観察者は鏡筒角を変更することができる。
【特許文献１】特開平８−３１３８１３号公報（図１）
【発明の開示】
【発明が解決しようとする課題】
【０００７】
しかしながら、上記従来の鏡筒角可変鏡筒においては、以下の問題がある。すなわち、上記従来の鏡筒角可変鏡筒では、アイポイントの高さを調節するために鏡筒角を変更すると、アイポイントの奥行き方向、観察者の目と接眼レンズとの水平距離が変化する。つまり、アイポイントを高くするとアイポイントの奥行き方向が後ろ側に大きく変位することになる。一般に、アイポイントを高くする観察者は、大柄な人であるので、アイポイントの奥行き方向が後ろ側となると観察時に姿勢が前かがみになるばかりではなく、顕微鏡の照準ハンドルやステージのストロークハンドルの操作などの観察作業が困難となる。
【０００８】
本発明は上記の事情に鑑みてなされたものであり、鏡筒角を変更してアイポイントの高さを調整したとき、アイポイントの奥行き方向の変位量を小さくし、小柄な人から大柄な人まで観察時の姿勢を良好に保つことが可能な鏡筒角可変鏡筒及びこれを備える顕微鏡を提供することを目的とする。
【課題を解決するための手段】
【０００９】
本発明は、前記課題を解決するために以下の構成を採用した。すなわち、本発明にかかる鏡筒角可変鏡筒は、顕微鏡本体に取り付けられる鏡筒本体に対して、一端に接眼レンズを備える双眼鏡筒部を有する回転枠を回動軸の軸回りで回動可能に設けた鏡筒角可変鏡筒において、前記回転枠の回動に連動して前記回動軸の軸回りで回動可能であり、その回動角度の１／２だけ同方向に回動すると共に、その回動軸上に反射面と光軸とが交わる点が設けられ、前記顕微鏡本体からの光束を反射する第１反射部材と、前記回転枠に設けられ、前記第１反射部材からの光束を前記双眼鏡筒部に導く第２反射部材とを備え、該第２反射部材の反射面と光軸とが交わる点と前記接眼レンズとの距離が、前記第１反射部材の反射面と光軸とが交わる点と前記接眼レンズとの距離よりも大きいことを特徴とする。
【００１０】
この発明にかかる鏡筒角可変鏡筒では、接眼レンズとの距離が第２反射部材による反射面と光軸とが交わる点よりも長い第１反射部材による反射面と光軸とが交わる点を回動中心としてその軸回りで回動させてアイポイントの高さを調節することによって、第２反射部材による反射面と光軸とが交わる点を回動中心としてアイポイントの高さを調節する場合と比較して、アイポイントの奥行き方向の変化量が小さくなる。
【００１１】
また、本発明にかかる鏡筒角可変鏡筒は、前記顕微鏡本体からの光束を結像して前記鏡筒本体内に中間像を形成する結像レンズと、前記中間像を前記双眼鏡筒部内に結像させるリレーレンズとを備えていることが好ましい。
この発明にかかる鏡筒角可変鏡筒では、結像レンズで中間像を形成し、リレーレンズでその中間像を双眼鏡筒部内に結像させることによって、観察者が、正立させた観察像を観察することができる。
【００１２】
また、本発明にかかる鏡筒角可変鏡筒は、前記結像レンズと前記第１反射部材との間に、前記顕微鏡本体からの光束を前記第１反射部材に導く反射光学系が設けられていることが好ましい。
この発明にかかる鏡筒角可変鏡筒では、反射光学系で顕微鏡本体からの光束を折り返すことによって、光路長を長くすることができる。これにより、鏡筒角可変鏡筒を小型化させることができる。
【００１３】
また、本発明にかかる鏡筒角可変鏡筒は、前記第１反射部材が、前記回転枠の回動範囲において、該第１反射部材で反射される光束の光軸を水平面よりも下方向とするように配置されていることが好ましい。
この発明にかかる鏡筒角可変鏡筒では、第２の反射部材、双眼鏡鏡筒部及び接眼レンズの配置位置を低くして、アイポイントの最下点を下げることができる。
【００１４】
また、本発明にかかる鏡筒角可変鏡筒は、前記第１反射部材が、該第１反射部材に入射する光束の光軸を水平面よりも上方向とするように配置されていることが好ましい。
この発明にかかる鏡筒角可変鏡筒では、第１及び第２の反射部材を配置するために必要なスペースを低減させることができる。これにより、明視野、暗視野、偏光、蛍光観察などのさまざまな観察法を実行可能とするために必要な光学素子を内蔵するために観察者側に突出した形状を有する投光管を有する顕微鏡本体にも取り付けることができる。
【００１５】
また、本発明にかかる鏡筒角可変鏡筒は、前記鏡筒本体が、撮像部材を取り付け可能な撮像部材取付部を有し、前記反射光学系の光路上に、前記顕微鏡本体からの光束を前記撮像部材取付部に導く光路切替手段が設けられていることが好ましい。
この発明にかかる鏡筒角可変鏡筒では、光路切替手段によって顕微鏡本体からの光束を、接眼レンズまたは撮像部材取付部のどちらか一方あるいは双方に導く。ここで撮像部材取付部に撮像部材として、例えばＴＶモニタに接続されるＴＶカメラを取り付け、光路切替手段によって光束を撮像部材取付部に導くことによってＴＶモニタでの観察を行うことができる。
【００１６】
また、本発明にかかる顕微鏡は、上述した鏡筒角可変鏡筒を備えることを特徴とする。
この発明にかかる顕微鏡では、鏡筒角を変更してもアイポイントの奥行き方向の変位量が小さい鏡筒角可変鏡筒を備えているので、小柄な人から大柄な人まで観察時の姿勢を良好に保つことができる。したがって、長時間の観察を行っても、観察時の疲労が低減される。
【発明の効果】
【００１７】
本発明の鏡筒角可変鏡筒及びこれを備える顕微鏡によれば、接眼レンズとの距離が第２反射部材による反射面と光軸とが交わる点よりも長い第１反射部材による反射面と光軸とが交わる点を回動中心としてその軸回りで回動させてアイポイントの高さを調節することによって、第２反射部材による反射面と光軸とが交わる点を回動中心としてアイポイントの高さを調節する場合と比較して、アイポイントの奥行き方向の変化量が小さくなる。これにより、小柄な人から大柄な人まで観察時の姿勢を良好に保つことができる。
【発明を実施するための最良の形態】
【００１８】
以下、本発明にかかる鏡筒角可変鏡筒及びこれを備える顕微鏡の第１の実施形態について、図１から図３を参照しながら説明する。
本実施形態による鏡筒角可変鏡筒１は、図１に示すような顕微鏡２に備えられている。
なお、本明細書において、観察者の向いている方向を前方と称する。
【００１９】
この顕微鏡２は、正立顕微鏡であって、鏡筒角可変鏡筒１を取り付け可能な顕微鏡本体３と、観察試料Ｓを載置するステージ４と、観察試料Ｓに照明光を照射するための光源であるランプソケット５と、観察試料Ｓの観察像を集光する対物レンズ６と、対物レンズ６によるフォーカスを調整する焦準ハンドル７とによって構成されている。
【００２０】
鏡筒角可変鏡筒１は、図２に示すように、顕微鏡本体３に取り付けられる取付部１１Ａを備える鏡筒本体１１と、鏡筒本体１１に対して回動軸Ｏの軸回りに回動可能に取り付けられている回転枠１２と、鏡筒本体１１の内部に設けられて顕微鏡本体３からの観察像を導入する結像レンズ１３と、結像レンズ１３からの観察像を後述する一対の接眼レンズ２２（２３）に導くリレーレンズ部及び反射光学系１５とを備えている。
【００２１】
回転枠１２は、一端に双眼鏡筒部２１を介して一対の接眼レンズ２２（２３）が設けられている。
この回転枠１２の回動可能範囲は、図２に示す符号αの範囲である。そして、回転枠１２の内部には、後述する第４反射鏡３７を保持するミラー保持部材２４が回動軸Ｏの軸回りに回動可能に配置されている。このミラー保持部材２４は、図示しないギヤ、ベルト、リンクなどによって回転枠１２の回動に連動して、その回動角度の１／２だけ回転枠１２の回動方向と同方向に回動するように構成されている。
双眼鏡筒部２１の内部には、リレーレンズ部で導かれた光路を分岐してそれぞれを一対の接眼レンズ２２（２３）に導く図示しない光路分割光学系が配置されている。
【００２２】
リレーレンズ部は、凹レンズ３１及び凸レンズ３２によって構成されており、凹レンズ３１が鏡筒本体１１内部に配置され、凸レンズ３２が回転枠１２内部に配置されている。
反射光学系１５は、プリズム３３、第１から第３反射鏡３４〜３６、第４反射鏡（第１反射部材）３７、及び第５反射鏡（第２反射部材）３８によって構成されている。
ここで、結像レンズ１３、リレーレンズ部及び反射光学系１５は、顕微鏡本体から導かれる光束の光軸上に配置されており、顕微鏡本体３側から順に、結像レンズ１３、プリズム３３、第１から第３反射鏡３４〜３６、凹レンズ３１、第４及び第５反射鏡３７、３８、凸レンズ３２となっている。
【００２３】
プリズム３３は、結像レンズ１３を通過する光束の光軸を、後方かつ水平面と平行な方向に偏向するように配置されている。また、第１反射鏡３４は、プリズム３３で偏向された光束の光軸を、前方かつ水平面よりも下側に偏向するように配置されている。また、第２反射鏡３５は、第１反射鏡３４で偏向された光束の光軸を、鉛直方向上側に偏向するように配置されている。これらプリズム３３及び第１から第３反射鏡３４〜３６は、鏡筒本体１１に設けられた固定部材１１Ｂに取り付け固定されている。
【００２４】
第４反射鏡３７は、第３反射鏡３６で偏向された光束の光軸を、回転軸Ｏで受け、回転枠１２の回動範囲内において水平線よりも下方向に偏向するように配置されている。第５反射鏡３８は、第４反射鏡３７で偏向された光束の光軸を、凸レンズ３２を通過して双眼鏡筒部２１の内部に配置されている光路分離光学系に導くように配置されている。
ここで、第４反射鏡３７から第５反射鏡３８に向かう光束の光軸は、回転枠１２の回動範囲内において、図２に示す符号ｎから符号ｎ′まで可変となっており、常に水平線よりも下方向に向かうように構成されている。
なお、結像レンズ１３、リレーレンズ部及び反射光学系１５を通る光束の光軸は、対物レンズ６の光軸も含めて同一平面（図２の紙面）上に構成されている。
【００２５】
また、結像レンズ１３とプリズム３３と第１及び第２反射鏡３４、３５とは、顕微鏡本体３から導かれる光束を、第２反射鏡３５と第３反射鏡３６との間にある点Ｐ１で結像して中間像を形成するように構成されている。また、リレーレンズ部は、点Ｐ１において形成された中間像の光束を双眼鏡筒部２１内部の点Ｐ２で結像して中間像を形成するように構成されている。なお、この点Ｐ２は、一対の接眼レンズ２２（２３）の像面位置と同一となるように構成されている。
【００２６】
次に、このように構成された鏡筒角可変鏡筒１及びこれを備える顕微鏡２による観察方法について説明する。
まず、ステージ４上に観察試料Ｓを載置し、ランプソケット５の電源を投入することによって照明光を観察試料Ｓに照射する。そして、焦準ハンドル７によって対物レンズ６によるフォーカスや、一対の接眼レンズ２２（２３）による観察位置を調整し、所望の観察像を得る。
【００２７】
顕微鏡本体３からの光束は、結像レンズ１３を通過し、プリズム３３及び第１から第３反射鏡３４〜３６で偏向される。ここで、点Ｐ１において結像レンズ１３による中間像を形成する。そして、第３反射鏡３６で偏向された光束は、凹レンズ３１を通過し、第４及び第５反射鏡３７、３８で偏向された後、凸レンズ３２を通過して双眼鏡筒部２１の内部に配置されている光路分離光学系を経て一対の接眼レンズ２２（２３）に至る。ここで、点Ｐ２において凹レンズ３１及び凸レンズ３２による中間像が形成される。
【００２８】
この状態で、観察者により、回転枠１２を回動軸Ｏの軸回りで回動させて双眼鏡筒部２１の鏡筒角をαだけ変更すると、これに連動して、第４反射鏡３７がα／２だけ同方向に回動する。これに伴って、第４反射鏡３７から第５反射鏡３８に向かう光束の光軸が、図２に示すｎからｎ′に移動する。第５反射鏡３８と双眼鏡筒部２１の内部に配置されている光路分離光学系との相対位置が鏡筒角を変更する前と同様であるので、鏡筒角を変更しても顕微鏡本体３からの光束は、一対の接眼レンズ２２（２３）に至ることとなる。したがって、観察像が移動することなく、観察者は鏡筒角を変更することができる。
【００２９】
ここで、鏡筒角の変更に伴うアイポイントの軌道は、図２に示すＸ−Ｘ′を結ぶ二点鎖線のようになる。このとき、観察者の姿勢は、図１に示す符号Ａ１のようになる。なお、光軸ｎと第５反射鏡３８との交点Ｏ′を回動軸としてαだけ鏡筒角を変更させた場合におけるアイポイントの軌道は、図２に示すＸ−Ｘ″を結ぶ二点鎖線のようになる。このとき、観察者の姿勢は、図１に示す符号Ａ２のようになる。
【００３０】
次に、回転枠１２を回動軸Ｏの軸回りに回動させたときに第４反射鏡３７がその回動角度の１／２だけ回動しなかった場合におけるアイポイントでの観察像のずれについて図３を用いて説明する。
これは、製造上で発生した各部品における寸法誤差により、回転枠１２の回動角度に対して第４反射鏡３７がその回動角度の１／２だけ同方向に回動せずに、回動角度の１／２に対して角度δ／２だけの誤差が生じた場合を考慮したものである。
ここで、一点鎖線で示された光軸Ｌは、回動角度の１／２に対して誤差が生じなかったときに第４反射鏡３７で反射された光束の光軸を示している。
【００３１】
第４反射鏡３７で角度誤差δを持って反射された光束の光軸は、凸レンズ３２で集光され、点Ｐ２で中間像を形成し、アイポイントＸに至る。このときにアイポイントＸで生じる観察像のずれ量は、Δｙ１となる。なお、第５反射鏡３８の反射点Ｏ′を回動軸とした場合において、その回動角度に誤差が生じたときに発生するアイポイントＸでの観察像のずれ量は、Δｙ２となる。
【００３２】
以上より、本実施形態における鏡筒角可変鏡筒１及びこれを備える顕微鏡２によれば、接眼レンズ２２（２３）との距離が第５反射鏡３８による反射点Ｏ′よりも長い第４反射鏡３７による反射点Ｏを回動中心としてその軸回りで回動させてアイポイントの高さを調節することによって、第５反射鏡３８による反射点Ｏ′を回動中心としてアイポイントの高さを調節する場合と比較して、アイポイントの奥行き方向の変化量が小さくなる。これにより、小柄な人から大柄な人まで観察時の姿勢を良好に保つことができる。したがって、観察時の疲労が低減されて、長時間であっても良好な観察を行うことができる。
【００３３】
また、第４反射鏡３７の反射点を回動軸Ｏとすることによって、第５反射鏡３８の反射点である点Ｏ′を回動軸とする場合と比較して、回動軸とアイポイントとの光路長が長くなる。これにより、製造上で発生した各部品における寸法誤差により、回転枠１２の回動角度に対して第４反射鏡３７がその回動角度の１／２だけ同方向に回動せず、誤差が生じても、アイポイントにおける観察像の位置ずれが小さくなる。したがって、鏡筒角を変更しているときに、観察像の移動量が小さいので観察者の観察姿勢の移動を小さくすると共に、光学系による観察像の劣化が抑制される。
【００３４】
次に、本発明の第２の実施形態について図４を参照して説明する。なお、以下の説明において、上記実施形態で説明した構成要素には同一符号を付し、その説明を省略する。
第２の実施形態と第１の実施形態との異なる点は、第１の実施形態における鏡筒角可変鏡筒１が結像レンズ１３と凹レンズ３１との間にプリズム３３及び第１から第３反射鏡３４〜３６を配置しているのに対して、第２の実施形態における鏡筒角可変鏡筒５０が結像レンズ１３と凹レンズ３１との間に第１及び第２反射鏡５１、５２を配置していることである。
【００３５】
すなわち、鏡筒角可変鏡筒５０は、顕微鏡本体３に取り付けられる取付部５５Ａを備える鏡筒本体５５と、回転枠５６と、双眼鏡筒部２１と、結像レンズ１３と、リレーレンズ部及び反射光学系５７とを備えている。
反射光学系５７は、第１及び第２反射鏡５１、５２と、第３反射鏡（第１反射部材）５３と、第４反射鏡（第２反射部材）５４とを備えている。
第１反射鏡５１は、結像レンズ１３から入射した光束の光軸を、後方かつ水平面よりも下側に偏向するように配置されている。
第２反射鏡５２は、第１反射鏡５１で偏向された光束の光軸を、前方で水平面と平行に偏向するように配置されている。
また、結像レンズ１３と第１及び第２反射鏡５１、５２は、顕微鏡本体３から導かれる光束を、凹レンズ３１と第２反射鏡５２との間にある点Ｐ３で結像して中間像を形成するように構成されている。
【００３６】
次に、このように構成された鏡筒角可変鏡筒５０の作用について説明する。
上述した第１の実施形態と同様に、顕微鏡本体３からの光束は、結像レンズ１３を通過して、第１及び第２反射鏡５１、５２で偏向される。ここで、点Ｐ３において結像レンズ１３による中間像を形成する。そして、凹レンズ３１を通過した後、第３及び第４反射鏡５３、５４によって偏向され、凸レンズ３２及び光路分離光学系を経て一対の接眼レンズ２２（２３）に至る。
【００３７】
この状態で、双眼鏡鏡筒部２１の鏡筒角をαだけ変更すると、第３反射鏡５３から第４反射鏡５４に向かう光束の光軸が、図４に示すｎからｎ′に移動する。したがって、観察像が移動することなく、観察者は鏡筒角を変更することができる。
ここで、鏡筒角の変更に伴うアイポイントの軌道は、図４に示すＸ−Ｘ′を結ぶ二点鎖線のようになる。また、光軸ｎと第４反射鏡５４との交点Ｏ′を回動軸としてαだけ鏡筒角を変更させた場合におけるアイポイントの軌道は、図４に示すＸ−Ｘ″を結ぶ二点鎖線のようになる。
【００３８】
以上より、本実施形態における鏡筒角可変鏡筒５０によれば、上述した第１の実施形態と同様の作用、効果を有するが、反射光学系５７が、これによる光軸の偏向回数が４回であり、第１の実施形態における反射光学系１５による光軸の偏向回数の６回よりも少なくなるように構成されている。これにより、観察者は、明るく色付きのない観察像を得ることができる。
【００３９】
次に、本発明の第３の実施形態について図５を参照して説明する。なお、以下の説明において、上記実施形態で説明した構成要素には同一符号を付し、その説明を省略する。
第３の実施形態と第２の実施形態との異なる点は、第２の実施形態における鏡筒角可変鏡筒５０の第２反射鏡５２が第１反射鏡５１で偏向された光束の光軸を前方かつ水平面と平行に偏向するように配置されているのに対して、第３の実施形態における鏡筒角可変鏡筒６０の第２反射鏡６１が第１反射鏡５１で偏向された光束の光軸を前方かつ水平面よりも上側に偏向するように配置されていることである。
【００４０】
すなわち、鏡筒角可変鏡筒６０は、顕微鏡本体３に取り付けられる取付部６２Ａを備える鏡筒本体６２と、回転枠６３と、双眼鏡筒部２１と、結像レンズ１３と、リレーレンズ部及び反射光学系６４とを備えている。
反射光学系６４は、第１及び第２反射鏡５１、６１と、第３及び第４反射鏡５３、５４とを備えている。
第１反射鏡５１は、結像レンズ１３から入射した光束の光軸を、後方かつ水平面よりも下側に偏向するように配置されている。
第２反射鏡６１は、第１反射鏡５１で偏向された光束の光軸を、前方で水平面よりも上側に偏向するように配置されている。
また、結像レンズ１３と第１及び第２反射鏡５１、６１は、顕微鏡本体３から導かれる光束を、凹レンズ３１と第２反射鏡６１との間にある点Ｐ４で結像して中間像を形成するように構成されている。
【００４１】
以上より、本実施形態における鏡筒角可変鏡筒６０によれば、上述した第２の実施形態と同様の作用、効果を有するが、第２反射鏡６１が第１反射鏡５１で偏向された光束の光軸を前方かつ水平面よりも上側に偏向するように配置されていることによって、第３反射鏡５３、双眼鏡筒部２１及び接眼レンズ２２（２３）の配置位置を高くすることができる。また、リレーレンズ部及び反射光学系６４を配置するために必要なスペースを小さくすることができる。
したがって、明視野、暗視野、偏光、蛍光観察などのさまざまな観察法を実行可能とするために必要な光学素子を内蔵するために観察者側に突出した形状を有する投光管を有する顕微鏡本体にも取り付けることができる。
【００４２】
次に、本発明の第４の実施形態について図６を参照して説明する。なお、以下の説明において、上記実施形態で説明した構成要素には同一符号を付し、その説明を省略する。
第４の実施形態と第３の実施形態との異なる点は、第３の実施形態における鏡筒角可変鏡筒６０の第１反射鏡５１が固定されているのに対して、第４の実施形態における鏡筒角可変鏡筒７０の第１反射鏡５１が結像レンズ１３を通過する光束の光軸上から挿脱可能に配置されていることである。
【００４３】
すなわち、鏡筒角可変鏡筒７０は、顕微鏡本体３に取り付けられる取付部７１Ａを備える鏡筒本体７１と、回転枠６３と、双眼鏡筒部２１と、結像レンズ１３と、リレーレンズ部及び反射光学系６４とを備えている。
鏡筒本体７１の上側には、結像レンズ１３を通過する光束の光軸と交差する位置に図示しない写真装置やテレビ装置が着脱可能に装着される撮像装置取付部７１Ｂが形成されている。また、鏡筒本体７１の内部には、第１反射鏡５１を取り付け固定する固定部材（光路切替手段）７２に形成されたガイド孔７２Ａに挿通することによって固定部材７２を嵌装する一対の棒ガイド（光路切替手段）７３が設けられている。
固定部材７２は、一対の棒ガイド７３に対して図６の紙面垂直方向に移動可能であり、鏡筒本体７１の外部に設けられた図示しないツマミを観察者が操作することによって、第１反射鏡５１が結像レンズ１３を通過する光束の光軸上から挿脱できるように構成されている。
【００４４】
以上より、本実施形態における鏡筒角可変鏡筒６０によれば、上述した第３の実施形態と同様の作用、効果を有するが、第１反射鏡５１が結像レンズ１３を通過する光束の光軸上から挿脱可能に配置されていることによって接眼レンズ２２（２３）による肉眼観察と、写真装置やテレビ装置などの撮像装置による撮像観察とを切り替えて観察することができる。
【００４５】
なお、本実施形態において、第１反射鏡５１の変わりにハーフミラーを用いた構成や、結像レンズ１３を通過する光束の光軸を分割して一方を第１反射鏡５１に、他方を撮像装置取付部７１Ｂに導く光路分割光学系を用いた構成とし、肉眼観察と撮像観察とを任意に選択可能としてもよい。
【００４６】
なお、本発明は上記実施形態に限定されるものではなく、本発明の趣旨を逸脱しない範囲において種々の変更を加えることが可能である。
例えば、上記実施形態では、顕微鏡として正立顕微鏡を用いたが、これに限らず、倒立顕微鏡や他の顕微鏡であってもよい。
また、上記実施形態では、反射光学系によって結像レンズから入射した光束が６回または４回反射されたが、結像レンズから接眼レンズまでの反射回数が偶数回であればよい。
また、第１及び第２の実施形態において、第４の実施形態と同様に、プリズム３３または第１反射鏡５１が結像レンズ１３を通過する光束の光軸上から挿脱できるような構成であってもよい。
【図面の簡単な説明】
【００４７】
【図１】本発明の第１の実施形態における顕微鏡を示す正面図である。
【図２】図１における鏡筒角可変鏡筒を示す断面図である。
【図３】図１において回転角度誤差が生じた際のアイポイントでの観察像の位置ずれ量を説明する説明図である。
【図４】本発明の第２の実施形態における鏡筒角可変鏡筒を示す断面図である。
【図５】本発明の第３の実施形態における鏡筒角可変鏡筒を示す断面図である。
【図６】本発明の第４の実施形態における鏡筒角可変鏡筒を示す断面図である。
【図７】従来の鏡筒角可変鏡筒を示す断面図である。
【符号の説明】
【００４８】
１、５０、６０、７０  鏡筒角可変鏡筒
２  顕微鏡
３  顕微鏡本体
１１、５４、６２  鏡筒本体
１２  回転枠
１３  結像レンズ
１５、５６、６４  反射光学系
２１  双眼鏡筒部
２２、（２３）  接眼レンズ
３７  第４反射鏡（第１反射部材）
３８  第５反射鏡（第２反射部材）
５３  第３反射鏡（第１反射部材）
５４  第４反射鏡（第２反射部材）
７１Ｂ  撮像装置取付部
７２  固定部材（光路切替手段）
７３  棒ガイド（光路切替手段）
Ｏ  回動軸
【図１】
2006113188.tif 000003
【図２】
2006113188.tif 000004
【図３】
2006113188.tif 000005
【図４】
2006113188.tif 000006
【図５】
2006113188.tif 000007
【図６】
2006113188.tif 000008
【図７】
2006113188.tif 000009